(57)【要約】【課題】  リアケースの全体を安価にかつ容易に成形することのできるディスク装置一体型テレビジョン受像機を提供する。併せて、当該テレビジョン受像機の冷却性能を向上させる。【解決手段】  キャビネットを形成しているリアケース１の上板部２にディスク挿抜口４が備わり、そのディスク挿抜口４が内側に凹入した凹所５の底壁５１に開設されている。凹所５の後側のその凹所５に隣接する部分で上板部２を凹所５の底壁５１よりも低位側に位置させることによって段付壁部７を形成し、その段付壁部７の外側に形成される入隅状の空間Ｚにリブ列８をリアケース１と一体成形することによって配備する。リブ列８を形成している個々のリブ８１の相互間で段付壁部７を欠除してその欠除箇所を通気開口として役立ててある。【選択図】        図１
0003124042.tif 000002
【実用新案登録請求の範囲】
【請求項１】
テレビジョン受像機要素とディスク装置要素とを内蔵するキャビネットがリアケースとこのリアケースに組み合わされるフロントパネルとに分割されていて、リアケースの周壁部における上記ディスク装置要素のディスク給排口が臨む箇所にスリット状のディスク挿抜口が備わり、そのディスク挿抜口がその周囲の上記周壁部に対し内側に凹入した凹所の底壁に開設されているディスク装置一体型テレビジョン受像機において、
上記周壁部が、上記キャビネットの上下方向で対向する上板部及び下板部を備え、その上板部に上記凹所が形成されていて、その凹所の後側のその凹所に隣接する部分で上記上板部を上記凹所の底壁よりも内側に位置させることによって上記リアケースの背板部に連続する段付壁部を形成し、その段付壁部の外側に形成される入隅状の空間に、複数のリブを間隔を隔てて並べてなるリブ列を上記リアケースと一体成形することによって配備してなり、そのリブ列を形成している個々のリブの相互間で上記段付壁部が欠除されてその欠除箇所が通気開口として形成され、上記リブ列を形成している個々のリブの端面の形状を、上記周壁における入隅状の上記空間の両側部分の表面の形状に揃えてあると共に、上記リアケースに、上記凹所の開口部を開閉する蓋体が取り付けられ、その開口部を閉じている蓋体の表面が上記上板部の表面の仮想延長面上に位置するように構成されていることを特徴とするディスク装置一体型テレビジョン受像機。
【請求項２】
テレビジョン受像機要素とディスク装置要素とを内蔵するキャビネットがリアケースとこのリアケースに組み合わされるフロントパネルとに分割されていて、リアケースの周壁部における上記ディスク装置要素のディスク給排口が臨む箇所にスリット状のディスク挿抜口が備わり、そのディスク挿抜口がその周囲の上記周壁部に対し内側に凹入した凹所の底壁に開設されているディスク装置一体型テレビジョン受像機において、
上記周壁部を上記凹所の後側のその凹所に隣接する部分で上記凹所の底壁よりも内側に位置させることによって上記リアケースの背板部に連続する段付壁部を形成し、その段付壁部の外側に形成される入隅状の空間に、複数のリブを間隔を隔てて並べてなるリブ列を配備してなることを特徴とするディスク装置一体型テレビジョン受像機。
【請求項３】
上記リブ列を形成している個々のリブの相互間で上記段付壁部が欠除されてその欠除箇所が通気開口として形成されている請求項２に記載したディスク装置一体型テレビジョン受像機。
【請求項４】
上記周壁部が、上記キャビネットの上下方向で対向する上板部及び下板部を備え、その上板部に上記凹所が形成されている請求項３又は請求項４に記載したディスク装置一体型テレビジョン受像機。
【請求項５】
上記リブ列を形成している個々のリブの端面の形状を、上記周壁における入隅状の上記空間の両側部分の表面の形状に揃えてある請求項２ないし請求項４のいずれか１項に記載したディスク装置一体型テレビジョン受像機。
【考案の詳細な説明】
【技術分野】
【０００１】
本考案は、ディスク装置一体型テレビジョン受像機、特に、キャビネットがディスク挿抜口を備えるリアケースとフロントケースとに分割されている場合に、ディスク挿抜口を備えるリアケースの成形を容易にするための対策を講じたディスク装置一体型テレビジョン受像機に関する。
【背景技術】
【０００２】
従来、液晶型テレビジョン受像機にＤＶＤドライブなどのディスク装置を組み付けて両者を一体化したディスク装置一体型テレビジョン受像機は公知である（たとえば、特許文献１、特許文献２、特許文献３参照）。そして、特許文献１には、キャビネットの天板部にディスク挿通口を形成し、そのディスク挿通口に開閉扉を設けることが記載されている。すなわち、この特許文献１によって開示されているディスク装置一体型テレビジョン受像機は、図４に概略斜視図で示したように、ディスク装置要素を内蔵した偏平なキャビネットの天板部ａにディスク挿抜口ｂを具備させると共に、そのディスク挿抜口ｂを開閉するための開閉扉ｃをキャビネットに装備させてある。そして、開閉扉ｃを開いた状態でディスク挿抜口ｂにディスクｄを挿入したり、ディスク挿抜口ｂからディスクｄを引き抜いたりすることができるようになっている。
【０００３】
図５は図４を参照して説明した基本的構成を備えるディスク装置一体型テレビジョン受像機において、ディスク挿抜口を備えるリアケースとフロントパネルとに分割されているキャビネットの上記リアケースの一部の形状を示した縦断側面図である。図５で判るように、リアケース１には上板部２の前端に、フロントケース（不図示）に対する結合部２１が備わっていると共に、その上板部２の後端に背板部３が連設されている。そして、キャビネットに内蔵したディスク装置要素のディスク給排口に臨む箇所である上記上板部２の所定箇所にスリット状にディスク挿抜口４が備わっていて、そのディスク挿抜口４が上記ディスク給排口に対するディスクの給送又は排出を行う際のガイドの役目を果たすようになっている。
【０００４】
このディスク挿抜口４は、図示のようにその周囲の上板部２に対して内側（低位側）に凹入した凹所５の水平に形成された底壁５１に開設されている。この凹所５は、底壁５１とその底壁５１の周囲から立ち上げられて上記上板部２に連設されている前壁５２や後壁５３、さらには左右の側壁５４によって囲まれている。
【０００５】
この構成を備えるリアケース１は一般的に樹脂成形され、その成形に際し、基本的には、リアケース１の内面を成形するための内型とその外面を成形するための外型との合わせ型を用い、リアケース１の成形後に内型を図５に矢印Ｆで示したように前側へ離型するという方法の採用されることが多い。しかし、図５によって明らかなように、同図のリアケース１では、凹所５の背部に上板部２と凹所５の後壁５３と背板部３とによって囲まれた凹入部Ｓが存在している。そのため、リアケース１の成形に際してその凹入部Ｓの内面が構造上アンダーカット面となり、上記したように内型を矢印Ｆのように前側へ離型するだけではその凹入部Ｓを成形することができない。そこで、凹入部Ｓが樹脂で埋まっているようなリアケースを成形することも考えられるけれども、そのようにすると樹脂で埋めた部分の肉厚が他の箇所に比べて極端に厚くなって外面に所謂「引け」が発生して外観が損なわれたり、材料増に伴うリアケースの重量増や歩留り低下などの不都合を生じる。
【０００６】
そこで、次善策として、ディスク挿抜口４の形成箇所を含む区画を上板部２から分割することによってディスク挿抜口４を備える部品を別ピースとして成形することが考えられた。この考えに基づいて構成された比較例を図６又は図７を参照して説明する。
【０００７】
図６は比較例によるリアケースの外観の一部を示した概略斜視図、図７は同比較例によるリアケースの本体部分と別ピースとを示した縦断側面図である。
【０００８】
図６において、リアケース１の本体部分１１には、その上板部２に別ピースとして成形された成形部品１２が結合されていて、その成形部品１２に同図に現れていないディスク挿抜口が備わっている。また、リアケース１に取り付けられた蓋体６によってそのディスク挿抜口が開閉されるようになっている。このようにリアケース１を本体部分１１と別ピースとしての成形部品１２とに分割してそれらを個別に成形するような対策を講じると、図７に示したように、本体部分１１から成形の障害になるようなアンダーカット面をなくすることができるので、矢印Ｆで示したように内型を前側へ離型するだけで本体部分１１を成形することが可能になり、また、別ピースとしての成形部品１２も上型と下型との２つの合わせ型を用いて成形することができる。なお、図７では、図５に示した部分と相応する部分には同一符号を付してある。
【特許文献１】実用新案登録第３１１１７９７号公報
【特許文献２】特開２００１−３３２０７４号公報
【特許文献３】特開平７−２３３１１号公報
【考案の開示】
【考案が解決しようとする課題】
【０００９】
しかしながら、図６又は図７を参照して説明したように、リアケース１を本体部分１１と別ピースとしての成形部品１２とに分割してそれらを個別に成形すると、成形コストが高くつくだけでなく、本体部分１１に成形部品１２を結合する手間がかかって作業性ないし量産性が低下し、全体としてコスト高になるという問題がある。
【００１０】
一方、この問題を解消するために、リアケース１の全体形状に再検討を加えることにより、リアケースの形状を、成形に際してその内面にアンダーカット面が形作られない形状に変更することも考えられるけれども、そのようにすると、成形用の金型の形状を全面的に設計しなおす必要が生じてそのことが大幅なコスト高につながるおそれがある。
【００１１】
そこで、本願考案者は鋭意調査を重ねた結果、図５あるいは図６に示したリアケース１の外観形状をほゞそのまま維持した上で、リアケースの内面にアンダーカット面が形作られない当該リアケースの構造ないし形状を案出し、本考案を完成させるに至った。したがって、本考案は、比較例のリアケースの外観形状をほゞそのまま踏襲しているにもかかわらず、内型と外型との合わせ型を用いてリアケースの全体を安価にかつ容易に成形することのできるディスク装置一体型テレビジョン受像機を提供することを目的とする。
【００１２】
さらに、本考案は、上記目的を達成した上で、テレビジョン受像機要素やディスク装置要素を内蔵しているキャビネットの内部での気流の流通性が高まって発熱部分の冷却性能が向上するディスク装置一体型テレビジョン受像機を提供することを目的とする。
【課題を解決するための手段】
【００１３】
本考案に係るディスク装置一体型テレビジョン受像機は、テレビジョン受像機要素とディスク装置要素とを内蔵するキャビネットがリアケースとこのリアケースに組み合わされるフロントパネルとに分割されていて、リアケースの周壁部における上記ディスク装置要素のディスク給排口が臨む箇所にスリット状のディスク挿抜口が備わり、そのディスク挿抜口がその周囲の上記周壁部に対し内側に凹入した凹所の底壁に開設されている。そして、上記周壁部を上記凹所の後側のその凹所に隣接する部分で上記凹所の底壁よりも内側に位置させることによって上記リアケースの背板部に連続する段付壁部を形成し、その段付壁部の外側に形成される入隅状の空間に、複数のリブを間隔を隔てて並べてなるリブ列を配備してなる。
【００１４】
この構成であると、リアケースの周壁部を、ディスク挿抜口を備える凹所の後側の隣接部分でその凹所の底壁よりも内側に位置させて段付壁部を形成しているので、図５を参照して説明したような凹入部Ｓやその凹入部Ｓの内面によって形成される成形時のアンダーカット面が存在しなくなる。そのため、内型によってリアケースの内面全体を成形することが可能になる。また、上記段付壁部を形成したことに伴ってその外側に形成される入隅状の空間に、複数のリブを間隔を隔てて並べて形成してなるリブ列が配備されていることにより、入隅状の空間が目立ってリアケースの外観が大きく変わってしまうこともない。
【００１５】
本考案では、上記リブ列を形成している個々のリブの相互間で上記段付壁部が欠除されてその欠除箇所が通気開口として形成されているという構成を採用することが可能であり、この構成を採用するとによって、テレビジョン受像機要素やディスク装置要素を内蔵しているキャビネットの内部での気流の流通性が高まって発熱部分の冷却性能が向上するという作用が奏される。
【００１６】
本考案では、上記周壁部が、上記キャビネットの上下方向で対向する上板部及び下板部を備え、その上板部に上記凹所が形成されている、という構成を採用することが可能である。これによれば、図５などを参照して説明したリアケースと同様の外観が得られにもかかわらず、そのリアケースを内型と外型との合わせ型とによってリアケースの全体を成形することが可能になる。
【００１７】
本考案では、上記リブ列を形成している個々のリブの端面の形状を、上記周壁における入隅状の上記空間の両側部分の表面の形状に揃えてあることが望ましい。この構成は、段付壁部の外側に形成される入隅状の空間に、複数のリブを間隔を隔てて並べてなるリブ列を配備することによって得られる構成である。
【００１８】
本考案に係るディスク装置一体型テレビジョン受像機は、テレビジョン受像機要素とディスク装置要素とを内蔵するキャビネットがリアケースとこのリアケースに組み合わされるフロントパネルとに分割されていて、リアケースの周壁部における上記ディスク装置要素のディスク給排口が臨む箇所にスリット状のディスク挿抜口が備わり、そのディスク挿抜口がその周囲の上記周壁部に対し内側に凹入した凹所の底壁に開設されているディスク一体型テレビジョン受像機において、上記周壁部が、上記キャビネットの上下方向で対向する上板部及び下板部を備え、その上板部に上記凹所が形成されていて、その凹所の後側のその凹所に隣接する部分で上記上板部を上記凹所の底壁よりも内側に位置させることによって上記リアケースの背板部に連続する段付壁部を形成し、その段付壁部の外側に形成される入隅状の空間が、複数のリブを間隔を隔てて並べて形成してなるリブ列によって埋められていて、そのリブ列を形成している個々のリブの相互間で上記段付壁部が欠除されてその欠除箇所が通気開口として形成され、上記リブ列を形成している個々のリブの端面の形状を、上記周壁における入隅状の上記空間の両側部分の表面の形状に揃えてあると共に、上記リアケースに、上記凹所の開口部を開閉する蓋体が取り付けられ、その開口部を閉じている蓋体の表面が上記上板部の表面の仮想延長面上に位置するように構成されている、という構成を採用することによっていっそう具体化される。この考案については後述する実施形態を参照して詳細に説明する。
【考案の効果】
【００１９】
以上のように、本考案によると、内型と外型との合わせ型を用いてリアケースの全体を安価にかつ容易に成形することができるにもかかわらず、リアケースの外観形状を図５などを参照して説明したリアケースの外観形状をそのまま踏襲することが可能になる。このことは、樹脂成形されるリアケースの成形金型の形状にそれほど大きな変更を加える必要性をなくするものであるので、リアケースの成形を低コストで行うことができることを意味している。
【００２０】
また、リブ列を形成している個々のリブの相互間で段付壁部を欠除して通気開口を開設したものでは、その通気開口によって気流の流通性が高められるために、発熱部分の冷却性能を向上させたディスク装置一体型テレビジョン受像機を提供することが可能になる。
【考案を実施するための最良の形態】
【００２１】
図１は本考案に係るディスク装置一体型テレビジョン受像機の要部を概略で示した外観斜視図、図２は同要部の縦断側面図、図３は図２のＩＩＩ−ＩＩＩ線に沿う部分の断面図である。
【００２２】
このディスク装置一体型テレビジョン受像機では、そのキャビネットがリアケース１と図示していないフロントパネルとに分割されている。そして、図１に示したリアケース１の前端に備わっている結合部２１にフロントパネルを結合することによってキャビネットが形作られ、そのキャビネットに、テレビジョン受像機要素とディスク装置要素とが内蔵される。ここで、テレビジョン受像機要素には、液晶表示面を有する液晶モジュールやその制御要素などが含まれ、ディスク装置要素には、スロットインタイプのディスクドライブなどが含まれる。そして、テレビジョン受像機要素はそれ自体が液晶表示面に画像などを表示する機能を有し、ディスク装置要素はそれ自体がディスクに対する記録／再生を行う機能を有していて、テレビジョン受像機要素によって受信した情報をディスク装置要素によってディスクに記録したり、あるいは、ディスク装置要素によって再生した情報をテレビジョン受像機要素の液晶表示面に表示させることが可能である。
【００２３】
図１又は図２のように、樹脂の一体成形体でなるリアケース１は上板部２とそれに対向する下板部（不図示）とを備えていて、上板部２の前端に上記結合部２１が備わっている。また、上板部２の後端に背板部３が連設されている。そして、キャビネットに内蔵したディスク装置要素のディスク給排口（不図示）に臨む箇所である上板部２の所定箇所にスリット状にディスク挿抜口４が備わり、そのディスク挿抜口４が上記ディスク給排口に対するディスクの給送又は排出を行う際のガイドの役目を果たすようになっている。
【００２４】
上記ディスク挿抜口４は、その周囲の上板部２に対して内側（低位側）に凹入した凹所５の水平に形成された底壁５１に開設されている。そして、この凹所５が、底壁５１とその底壁５１の周囲から立ち上げられて上記上板部２に連設されている前壁５２や後壁５３、さらには左右の側壁５４によって囲まれている。この点は図２に示してある通りであり、これと同様の構成が図５を参照して説明したリアケース１にも備わっている。
【００２５】
図２のように、この実施形態では、上記凹所５の後側のその凹所５に隣接する部分で、上板部２を凹所５の底壁５１よりも内側（低位側）に位置させてあり、そうすることによって、上板部２にリアケース１の背板部３に連続する段付壁部７を形成してある。そして、この段付壁部７の外側に形成される入隅状の空間Ｚに、複数のリブ８１を等間隔を隔てて並べてなるリブ列８をリアケース１と一体成形することによって配備してなる。
【００２６】
このように構成しておくと、リアケース１の内面に図５を参照して説明した凹入部Ｓが存在しなくなり、リアケース１の成形に際してその凹入部Ｓの内面によって形成される成形時のアンダーカット面が存在しなくなる。そのため、内型によってリアケース１の内面全体を成形することが可能になる。矢印Ｆで示したように内型を前側へ離型するだけでリアケース１の内面全体を成形することが可能になる。また、外型によって段付壁部７を含む上板部の外面を成形することができる。ここで、この実施形態では、凹所５の内面は成形時のアンダーカット面には相当しないため、上下に分割された外型を用いたりすることによって容易に成形することが可能である。また、凹所５の後壁５３を省略しておけば、外型を分割せずに凹所５の内面を成形することも可能である。
【００２７】
次に、この実施形態では、図２又は図３のように、リブ列８を形成している個々のリブ８１の相互間で段付壁部７がスリット状に欠除されていて、その欠除箇所に通気開口９としての機能を付与してある。こうしておくと、通気開口９が、キャビネットに内蔵されているテレビジョン受像機要素やディスク装置要素の発熱を抑えるための空気流通口として役立つため、当該ディスク装置一体型テレビジョン受像機の冷却性能が高まるという利点がある。
【００２８】
そして、そのような通気開口９は、リアケース１の内面全体を成形するための内型に、その通気開口９を成形するためのリブ状突起を追加しておくことによって成形することが可能であるので、そうしておくことによって成形金型の形状に大きな変更を加える必要がなくなる。
【００２９】
図１又は図２によって明らかなように、リブ列８を形成している個々のリブ８１の端面８２の形状は、上板部２における入隅状の空間Ｚの左右両側部分の表面の形状に揃えて一致させてある。そのため、図１に示したように、リアケース１でのリブ列８の成形箇所の概観的な輪郭面が図５に示したリアケース１の相当箇所の輪郭面と同様になる結果、この実施形態でのリアケース１の外観形状が図５を参照して説明したリアケース１の外観形状をそのまま踏襲した形状になる。したがって、成形用の外型に対しても大きな変更を加える必要がなくなる。
【００３０】
図１のように、リアケース１には蓋体６が取り付けられていて、この蓋体６によって、図２に示した凹所５の開口部５５を開閉することができるようになっている。そして、蓋体６によって開口部５５を閉じているときには、ディスク挿抜口４（図２参照）が蓋体６により覆われてそのディスク挿抜口４を介して塵芥がキャビネット内に侵入するという事態が防止される。
【００３１】
この実施形態では、上記開口部５５を閉じている蓋体６の表面が上板部２の表面の仮想延長面上に位置するように構成されている。このため、開口部５５を閉じている蓋体６は、上板部２と視覚的には一体的に融合した形に見えてその上板部２の外観をシンプルなまま保つことに役立っている。
【００３２】
以上説明した実施形態では、凹所５をリアケース１の上板部２に形成してある事例を説明したけれども、この凹所をリアケースの左右の側板部に形成することも同様に可能である。要するに、凹所はリアケースの周壁部に形成されていればよい。
【００３３】
なお、図１〜図３並びに図５〜図７では、説明の理解を容易にすることを意図して、同一又は相応する部分に同一符号を付してある。
【図面の簡単な説明】
【００３４】
【図１】本考案に係るディスク装置一体型テレビジョン受像機の要部を概略で示した外観斜視図である。
【図２】同要部の縦断側面図である。
【図３】図２のＩＩＩ−ＩＩＩ線に沿う部分の断面図である。
【図４】ディスク装置一体型テレビジョン受像機の概略斜視図である。
【図５】図４のディスク装置一体型テレビジョン受像機に採用可能なリアケースの一部の形状を示した縦断側面図である。
【図６】比較例によるリアケースの外観の一部を示した概略斜視図である。
【図７】比較例によるリアケースの本体部分と別ピースとを示した縦断側面図である。
【符号の説明】
【００３５】
１  リアケース
２  上板部
３  背板部
４  ディスク挿抜口
５  凹所
６  蓋体
７  段付壁部
８  リブ列
９  通気開口
５１  凹所の底壁
５５  凹所の開口部
８１  リブ
８２  リブの端面
Ｚ  入隅状の空間
【図１】
0003124042.tif 000003
【図２】
0003124042.tif 000004
【図３】
0003124042.tif 000005
【図４】
0003124042.tif 000006
【図５】
0003124042.tif 000007
【図６】
0003124042.tif 000008
【図７】
0003124042.tif 000009